(57)【要約】【課題】年少者や障碍者でも、既製品のコンパスを用いて、容易に円等を描くことができるコンパス用補助具を提供する。【解決手段】コンパスつまみ６１と篏合できる凹部２２をもつ装着部２１を有し水平方向に回転するハンドル２と、コンパスつまみ６１が貫通できる通し穴３１を有した把持部３と、前記把持部３をその内側下面で水平に保持し、コンパスつまみ６１が貫通できる通し穴４１を有した保持部４と、前記凹部２２の内周面に伸縮性を有するストッパ５とを備え、前記保持部４と前記把持部３とを順に挿し通し、前記コンパスつまみ６１に前記装着部２１を嵌着できるように構成した。【選択図】図２
0003215557.tif 000002
【実用新案登録請求の範囲】
【請求項１】
コンパスつまみと篏合する装着部を有し水平方向に回転するハンドルと、
前記つまみが貫通できる通し穴を有した把持部とを備え、
前記把持部に挿し通した前記つまみに前記装着部を嵌着できることを特徴とするコンパス用補助具。
【請求項２】
前記把持部は下方に開口された凹型環状に成形され、
コンパスつまみが貫通できる通し穴を有し前記把持部の内側下面を水平に保持する保持部を備えたことを特徴とする請求項１に記載のコンパス用補助具。
【請求項３】
前記装着部は、その内周面に伸縮性を有するストッパを備えたことを特徴とする請求項１又は請求項２に記載のコンパス用補助具。
【請求項４】
上方に開口した首部と、該首部の外周面にねじ山を有し、コンパスが収納可能な大きさの中空の筒状容器である収納具に、
前記ねじ山に噛み合うねじ山を前記把持部の内周面に備えた請求項２又は請求項３何れか一項記載のコンパス用補助具を装着した状態のコンパスを、前記首部から挿入し、前記把持部と前記首部とを螺着させ、収納可能としたことを特徴とする収納具セット。
【請求項５】
請求項１ないし請求項３何れか一項記載のコンパス用補助具に、コンパスを組み合わせ、店頭販売用の包装を兼ねた１つの製図器ケースに収容してなるものとした、請求項１ないし請求項３何れか一項記載のコンパス用補助具を組み込んだ製図器セット。
【考案の詳細な説明】
【技術分野】
【０００１】
本考案は、製図用コンパス（以下、「コンパス」と記載する。）に関するものである。
【背景技術】
【０００２】
一般的なコンパスは、針が設けられる針脚と、鉛筆が設けられる回転脚と、針脚と回転脚を開閉自在に連結する連結部を備え、連結部には指で摘むコンパスつまみが設けられる。そして、使用時には、針脚と回転脚を開き、紙等の被描画体に針脚を立ててコンパスつまみを指で回転させ、円や円弧（以下、「円等」と記載する。）を描く。しかし、このコンパスつまみを回転させる際、手と指先の複雑な操作を要するため、腕や手に障碍を有している者や、年少者にとって、上手に円等を描くことは難しかった。
【０００３】
この改善策として、両手を使用する形状のコンパスやコンパスつまみに補助具を設置させるものが提案されている。
【０００４】
例えば、特開２００１−２６１９７号（特許文献第１参照）に開示されたコンパスは、回転脚につまみと空転つまみを設け、回転脚の中央部にある支点に中心脚を組み合わせ、人の字型に構成されたものである。
【０００５】
例えば、特許第５６０７９８３号（特許文献第２参照）に開示されたコンパスは、連結部に縦軸回りに回転自在となる操作体が設けられ、操作体の回転軸方向を可変としたものである。
【先行技術文献】
【特許文献】
【０００６】
【特許文献１】特開２００１−２６１９７号公報
【特許文献２】特許第５６０７９８３号公報
【非特許文献】
【０００７】
【非特許文献１】持ち方補助具Ｑコンパス，Ｇｏｏｇｌｅ（検索結果）［ｏｎｌｉｎｅ］，［２０１８年１月７日検索］，インターネット,ＵＲＬ  ｈｔｔｐ：／／ｗｗｗ.ｇｏｍｕｑ．ｃｏｍ／ｃｏｍｐａｓｓ／ｉｎｄｅｘ．ｈｔｍｌ
【考案の概要】
【考案が解決しようとする課題】
【０００８】
上述の特許文献に係るものは、コンパス自体の形状やコンパスつまみの形状に特徴があることから、汎用性が無い。また、市販のコンパスのコンパスつまみに装着するタイプの補助具や摘み部にテープを巻き付けることによるコンパスつまみの握り易さや回転のし易さの改善を図る方法も見られるが、なお円等を描くには困難が伴っていた。
【０００９】
本考案の課題は、年少者や障碍者でも、既製品のコンパスを用いて、容易に円等を描くことができるコンパス用補助具を提供することにある。
【課題を解決するための手段】
【００１０】
本考案の請求項３に係るコンパス用補助具は、コンパスつまみと篏合できる装着部を有し水平方向に回転するハンドルと、コンパスつまみが貫通できる通し穴を有した把持部と、前記把持部をその内側下面で水平に保持し、つまみが貫通できる通し穴を有した保持部と、前記装着部はその内周面に伸縮性を有する材料を備え、前記保持部と前記把持部とを順に挿し通し、前記つまみに前記装着部を嵌着することを可能としたことを特徴とする。
【００１１】
（関連する考案１）
上記したコンパス用補助具に関連し、本考案には、それを組み込んだ収納具セットも包含している。
即ち、本考案の基本をなすコンパス用補助具に、コンパスを組み合わせ、製図作業を行わない収納時に、自宅等で、コンパスとともに収納可能とした、１つの収納具に収納してなるものとした収納具セットである。
【００１２】
（関連する考案２）
上記したコンパス用補助具に関連し、本考案には、それを組み込んだ製図器セットも包含している。
即ち、本考案の基本をなすコンパス用補助具に、コンパスを組み合わせ、店頭販売用の包装を兼ねた１つの収納ケースに収容してなるものとした製図器セットである。
【考案の効果】
【００１３】
本考案のコンパス用補助具を用いることで、既製品のコンパスの針脚の針が紙等から外れ難くなり、かつ、回転脚を容易に回転させることができ、円等を描き易くなるという利点がある。
【図面の簡単な説明】
【００１４】
図面は、本考案のコンパス用補助具、同補助具を組み込んだ収納具セット及び同補助具を組み込んだ製図器セットの技術的思想を具現化した代表的な幾つかの実施例を示すものである。
【図１】図１は、コンパス用補助具をコンパスに装着した全体図である。
【図２】図２は、コンパス用補助具の分解図である。
【図３】図３は、コンパスに装着しているコンパス用補助具の断面図である。
【図４】図４は、コンパス用補助具の使用を示す説明図である。
【図５】図５は、コンパスを収納した収納具セットを示す全体図である。
【図６】図６は、製図器セットにコンパス用補助具及びコンパスを格納した全体図である。
【考案を実施するための形態】
【００１５】
以下、本考案を添付図面に基づいて説明する。図１ないし図４に示される本実施形態のコンパス用補助具１は、本考案の請求項３に係るコンパス用補助具１であって、コンパスつまみ６１と篏合できる装着部２１を有し水平方向に回転するハンドル２と、そのつまみ６１が貫通できる通し穴３１を有した把持部３と、この把持部３をその内側下面で水平に保持し、そのつまみ６１が貫通できる通し穴４１を有した保持部４と、前記装着部２１はその内周面に伸縮性を有するストッパ５を備えている。
【００１６】
図２に示すように、棒状のハンドル２は、プラスチック製の素材からなり、その一端が長手方向に対し垂直に突出した装着部２１を有する。装着部２１には、コンパスつまみ６１を挿入するための凹部２２が設けられる。ハンドル２の他の一端には、長手方向に垂直かつ前記装着部２１と反対側に突出したハンドルつまみ２３が設けられている。なお、このハンドルつまみ２３の配置は必須ではなく省略されても良い。
【００１７】
前記装着部２１の凹部２２には、コンパスつまみ６１を握持するためのストッパ５が配置される。ストッパ５の素材は飴ゴムが適しているが、これに限定されるものではなく、伸縮性に富むその他のゴムなど他の素材としても良い。
【００１８】
把持部３は、ポリプロピレン製やポリエチレン製等の軽量素材からなり、下方に開口した凹型環状に形成され、中心軸にコンパスつまみ６１が貫通できる径を有する通し穴３１が設けられる。把持部３の通し穴３１の径の大きさは、装着部２１の下側両端の長さより小なるものであって、コンパスつまみ６１が遊嵌される程度のものである。把持部３として、既成のペットボトルのキャップを使用することができる。
【００１９】
保持部４は、木やプラスチック等の一定の硬度を有する軽量な素材からなり、中心軸方向にコンパスつまみ６１が貫通できる径を有する通し穴４１が設けられた円筒状に形成される。保持部４の通し穴４１の径の大きさは、連結部６２の上面の幅より小さく、コンパスつまみ６１が遊嵌される程度のものである。
【００２０】
コンパス用補助具１をコンパス６に取り付けるには、次の手順で行う。図２及び図３に示すように、まず、保持部４の通し穴４１にコンパスつまみ６１を貫通させる。保持部４は下面で、コンパス６の連結部６２上面に載架される。次に、把持部３の凹側を保持部４に被せ、通し穴３１にコンパスつまみ６１を貫通させる。ハンドル２の装着部２１の凹部２２にはストッパ５を周着させておき、把持部３の通し穴３１から突出したコンパスつまみ６１の先端を、凹部２２に周着されたストッパ５に押し込み圧着させる。その際、装着部２１の下面が、把持部３の上面に載置される。
【００２１】
前記手順を用いて、コンパスつまみ６１にコンパス用補助具１を取付可能とするよう、保持部４を把持部３に重ね合わせた円柱の高さは、コンパスつまみ６１の長さを超えない長さに形成される。
【００２２】
本考案のコンパス用補助具１を装着し、既成のコンパス６を用いて、円等を描くには、次のように行う。図４に示すように、まず、把持部３を片方の手の指で挟んで、コンパス６の針６５を紙等に押し付け、鉛筆芯６６を紙等に載せる。そして、もう片方の手の指で、ハンドルつまみ２３を摘まんで、ハンドル２の装着部２１を中心にして、ハンドル２を水平方向に回転させる。このようにすると、ハンドル２の回転に伴い、コンパスつまみ６１も回転し、針脚６３を中心に回転脚６４が回転することで、円等を描くことができる。
【００２３】
従前のコンパスによる製図は、いずれか一方の、手指、手首、肘、肩の関節動作を複雑に組み合わせることで、コンパスつまみ６１を回転させることによって行うものであった。しかし、本考案にかかるコンパス用補助具１を使用することで、次の効果が得られる。まず、製図の際に両手を使うことが可能になる。このことにより、片方の手を、円等の中心点を定める針脚６３が、紙等からずれないように押さえつける役割に専念させることができる。そして、他方の手に、回転脚６４の回転動作を専念させることができる。しかも、コンパス用補助具に備えられているハンドルが、上記した複雑な関節動作を補う機能をもつ。すなわち、回転軸となっているコンパスつまみ６１から離れた位置に力を加え、片方の腕全体を少ない動作で回転させる操作を可能としている。
【００２４】
このような機能を有する本考案のコンパス用補助具１を使用すれば、容易に、かつ、綺麗に円等を描くことが可能となる。
【００２５】
次に、図５を用いて本考案の請求項４にかかるコンパス用補助具１を組み込んだ収納具セットを説明する。本実施例の把持部３は下方に開口された凹型環状に成形され、その内周面にねじ山を備えている。
【００２６】
収納具７は、ポリエチレンテレフタレート製で、コンパス６が収納可能な大きさを有し、中空の筒状に形成される。収納具７の底面は、起立可能なように全体あるいは円周側が平面な形状をしていることが望ましいが、必須の形状ではない。収納具７は、上方に開口した首部７１を有し、その首部７１外周面には、把持部３のねじ山に噛み合うねじ山が形成される。この収納具７として、既成のペットボトルを使用することができる。収納具７としてペットボトルを、把持部３としてペットボトルキャップを使用する場合には、前記首部７１に切欠溝７２を設ける。この切欠溝７２は、首部７１からコンパス６を挿入可能とするために、首部７１の周の一部を垂直に切り欠いたものである。
【００２７】
このように構成することで、コンパス用補助具１を装着した状態で、コンパス６を前記首部７１から挿入し、把持部３と首部７１とを螺着させ、収納可能となる。
【００２８】
本考案のコンパス用補助具１を組み込んだ収納具セットによれば、コンパス６にコンパス用補助具１を装着したままの状態で、収納することが可能となり、製図の際に、コンパス用補助具１を装着したコンパス６をすぐに使用できるという効果が得られる。しかも、収納具７である中空の筒状容器にコンパス６が収納されることで、コンパス６の針６５や鉛筆芯６６が外部から直接、衝撃を受けることがなくなり破損を防止できるとともに、指先等人体の怪我を防止するという効果も得られる。
【００２９】
特に、上記形態において、把持部３として既成のペットボトルキャップを、収納具７として既成のペットボトルを使用した場合は、これら以外の他の部品を供給するだけで、低廉にコンパス用補助具１を提供することが可能になるという効果も得られる。
【００３０】
図６に示すように、本考案のコンパス用補助具１を組み込んだ製図器セットによれば、コンパス６を組み合わせた商品として１つの製図器ケース８毎に販売、購入することが可能となる。また、コンパス用補助具１をコンパス６から取り外し、分解したときに、ハンドル２や把持部３等の配置場所が定まっていることから、かかる部品の紛失予防効果も高く、かつ、綺麗に収容できるという効果を得られる。
【００３１】
本実施形態のコンパス用補助具１は、装着部２１の凹部２２の内周面に飴ゴムからなるストッパ５を配置し、コンパスつまみ６１を握持するものとして構成したが、ストッパ５に代えてハンドル２に別途、固定手段を設ける構成としても良い。
【００３２】
固定手段の一例として、次のものがあげられる。図示を省略しているが、装着部２１には突起方向と垂直方向に、ねじ山を有する貫通孔が設けられる。この貫通孔のねじ山と螺着できるねじ山を有し、その先端が平坦な摘みねじを備えたものとして構成される。
【００３３】
このように固定手段を構成することにより、摘みねじを回すことで、ねじが貫通孔に螺合しながら、摘みねじの先端の平坦部分が、コンパスつまみ６１に接触して締め付ける。そのため、ハンドル２とコンパスつまみ６１とが連結し、コンパス用補助具１を固定することが可能となる。
【００３４】
また、他の固定手段の形態として、装着部２１に代えて、複数の突片を有する筒状をなし、筒状の外周面にはねじ山が設けられ、内周面にねじ山を有する締め付けリングを備えた構成としても良い。
【００３５】
この構成では、筒状の突片をコンパスつまみ６１に被せるように配置し、筒状の外周面に締め付けリングを螺合させることによって、突片が弾性変形しながらコンパスつまみ６１を押さえつけることができる。こうして、ハンドル２とコンパスつまみ６１とを連結させ、コンパス用補助具１を固定することが可能となる。
【００３６】
これらのような固定手段を設けることによって、既成のコンパス６がもつ、様々な形状や長さ、太さのコンパスつまみ６１に、本考案のコンパス用補助具１を装着することができるという効果が得られる。
【００３７】
上記のように、本考案の実施形態を記載したが、この開示の一部をなす論述及び図面は本考案の技術的思想を具体化するために例示するものであって、構成部品の材質、形状、構造、配置等を上記のものに特定するものではない。
【符号の説明】
【００３８】
１    コンパス用補助具
２    ハンドル
２１  装着部
２２  凹部
２３  ハンドルつまみ
３    把持部
３１  通し穴
４    保持部
４１  通し穴
５    ストッパ
６    コンパス
６１  コンパスつまみ
６２  連結部
６３  針脚
６４  回転脚
６５  針
６６  鉛筆芯
７    収納具
７１  首部
７２  切欠溝
８    製図器ケース
【図１】
0003215557.tif 000003
【図２】
0003215557.tif 000004
【図３】
0003215557.tif 000005
【図４】
0003215557.tif 000006
【図５】
0003215557.tif 000007
【図６】
0003215557.tif 000008